(57)【要約】【課題】書籍の種類が増加しても店舗側のスペースを広げる必要がなく、店舗を有効的に活用し単位面積当りの売上を伸ばすことを可能にする書籍データ閲覧システムを提供する。【解決手段】店舗において書籍の電子データである書籍データの閲覧サービスを提供する書籍データ閲覧システムであり、出版社側装置１００から通信回線１０１を介して送られる書籍データを配信会社側装置１０２に格納し、配信会社側装置１０２と通信回線１０１で接続された店舗側装置１０３が、店舗の利用者に貸与される専用端末４０２から要求される書籍データを、配信会社側装置１０２から取得し、専用端末４０２に提供する。【選択図】　　図１
2004013513.tif 000002
【特許請求の範囲】
【請求項１】
店舗において書籍の電子データである書籍データの閲覧サービスを提供する書籍データ閲覧システムであって、
出版社側装置から通信回線を介して送られる前記書籍データを配信会社側装置に格納し、前記配信会社側装置と前記通信回線で接続された店舗側装置が、前記店舗の利用者に貸与される専用端末から要求される前記書籍データを、前記配信会社側装置から取得し、前記専用端末に提供することを特徴とする書籍データ閲覧システム。
【請求項２】
前記出版社側装置は、前記書籍データをその出版権料のデータと共に、前記配信会社側装置に送信し、
前記配信会社側装置は、前記書籍データと前記出版権料のデータを対応させて格納すると共に、
前記店舗側装置は、前記利用者が前記専用端末により閲覧した前記書籍データに関し、前記出版権料を含む閲覧料金を算出して請求し、かつ前記閲覧料金のうちの前記出版権料に相当する金額を前記出版社側装置に送金することを特徴とする請求項１に記載の書籍データ閲覧システム。
【請求項３】
前記配信会社側装置は、前記書籍データを検索するための情報を含む書籍データ一覧を生成して格納し、
前記店舗側装置は、前記専用端末の利用者の要求に応じて前記書籍データ一覧を前記配信会社側装置から取得して前記専用端末に転送し、前記書籍データ一覧から選択された前記書籍データを前記専用端末に前記配信会社側装置から取得して提供することを特徴とする請求項１又は請求項２に記載の書籍データ閲覧システム。
【請求項４】
前記配信会社側装置は、前記書籍データ一覧に、前記出版権料データを含めて生成することを特徴とする請求項３に記載の書籍データ閲覧システム。
【請求項５】
前記出版社側装置は、前記書籍データを生成する手段と、予め契約した前記配信会社側装置に対して前記書籍データを送信する手段を備え、
前記配信会社側装置は、前記出版社側装置からの送られる前記書籍データを格納する手段と、前記書籍データを検索するための情報を含む書籍データ一覧を生成し格納する手段と、前記店舗側装置からの求めにより前記書籍データと前記書籍データ一覧を送信する手段を備え、
前記店舗側装置は、前記配信会社側装置に接続し、前記利用者から要求された前記書籍一覧装置と前記書籍データを取得し、前記専用端末に提供する手段を備え、　前記専用端末は、前記書籍データ一覧から所望の書籍データを検索し選択する手段と、前記店舗側装置から提供された前記書籍データを表示する手段を備えることを特徴とする請求項１から請求項４の何れか１項に記載の書籍データ閲覧システム。
【請求項６】
前記配信会社側端末は、前記利用者の情報を登録するユーザ情報データベースを備え、前記専用端末から入力された利用者情報を、前記ユーザ情報データベースに基づいて照会することを特徴とする請求項１から請求項５の何れか１項に記載の書籍データ閲覧システム。
【請求項７】
前記店舗側装置は、前記利用者が閲覧した前記書籍データを格納するキャッシュサーバを備え、前記利用者から要求された前記書籍データが前記キャッシュサーバに存在する場合には、前記キャッシュサーバの前記書籍データを前記専用端末に提供し、存在しない場合に、前記配信会社側装置から取得することを特徴とする請求項１から請求項６の何れか１項に記載の書籍データ閲覧システム。
【請求項８】
前記配信会社側装置は、前記利用者毎に、既に閲覧した書籍データの履歴を含む履歴一覧を生成し、前記店舗側装置が、前記利用者からの要求により前記利用者に対応する履歴一覧を取得して、前記専用端末に提供することを特徴とする請求項１から請求項７の何れか１項に記載の書籍データ閲覧システム。
【請求項９】
前記出版社側装置又は配信会社側装置にて、前記書籍データの圧縮化と暗号化を行なうと共に、前記専用端末は、圧縮化と暗号化がなされた前記書籍データについて解凍と復号処理を行うことを特徴とする請求項１から請求項８の何れか１項に記載の書籍データ閲覧システム。
【請求項１０】
前記専用端末に、クレジットカードやプリペイドカードを利用して前記閲覧料金の決済を行なう機能を設けたことを特徴とする請求項２から請求項９の何れか１項に記載の書籍データ閲覧システム。
【請求項１１】
前記出版権料に、前記書籍データの一回の閲覧を認めるレンタルと閲覧回数に制限のない買取りの２種類の金額を設定し、前記専用端末から書籍データを選択する際に、前記書籍データのレンタルか買い取りかを指定することにより、前記書籍データを閲覧することを特徴とする請求項２から請求項１０の何れか１項に記載の書籍データ閲覧システム。
【請求項１２】
前記出版社側装置と前記配信会社側端末及び前記店舗側装置の少なくとも１つが、前記通信回線に複数接続されていることを特徴とする請求項１から請求項１１の何れか１項に記載の書籍データ閲覧システム。
【請求項１３】
店舗において書籍の電子データである書籍データの閲覧サービスを提供する書籍データ閲覧方法であって、
出版社側装置から通信回線を介して送られる前記書籍データを配信会社側装置に格納し、前記配信会社側装置と前記通信回線で接続された前記店舗側装置が、前記店舗の利用者に貸与される専用端末から要求される前記書籍データを、前記配信会社側装置から取得し、前記専用端末に提供することを特徴とする書籍データ閲覧方法。
【請求項１４】
前記出版社側装置は、前記書籍データをその出版権料のデータと共に、前記配信会社側装置に送信し、
前記配信会社側装置は、前記書籍データと前記出版権料のデータを対応させて格納すると共に、
前記店舗側装置は、前記利用者が前記専用端末により閲覧した前記書籍データに関し、前記出版権料を含む閲覧料金を算出して請求し、かつ前記閲覧料金のうちの前記出版権料に相当する金額を前記出版社側装置に送金することを特徴とする請求項１３に記載の書籍データ閲覧方法。
【請求項１５】
前記配信会社側装置は、前記書籍データを検索するための情報を含む書籍データ一覧を生成して格納し、
前記店舗側装置は、前記専用端末の利用者の要求に応じて前記書籍データ一覧を前記配信会社側装置から取得して前記専用端末に転送し、前記書籍データ一覧から選択された前記書籍データを前記専用端末に前記配信会社側装置から取得して提供することを特徴とする請求項１３又は請求項１４に記載の書籍データ閲覧方法。
【請求項１６】
前記配信会社側装置は、前記書籍データ一覧に、前記出版権料データを含めて生成することを特徴とする請求項１５に記載の書籍データ閲覧方法。
【請求項１７】
前記出版社側装置は、前記書籍データを生成し、かつ予め契約した前記配信会社側装置に対して前記書籍データを送信し、
前記配信会社側装置は、前記出版社側装置からの送られる前記書籍データを格納し、前記書籍データを検索するための情報を含む書籍データ一覧を生成して格納し、前記店舗側装置からの求めにより前記書籍データと前記書籍データ一覧を送信し、
前記店舗側装置は、前記配信会社側装置に接続し、前記利用者から要求された前記書籍一覧装置と前記書籍データを取得し、前記専用端末に提供し、
前記専用端末は、前記書籍データ一覧から所望の書籍データを検索し選択すると共に、前記店舗側装置から提供された前記書籍データを表示することを特徴とする請求項１３ら請求項１６の何れか１項に記載の書籍データ閲覧方法。
【請求項１８】
前記配信会社側端末は、前記利用者の情報を登録するユーザ情報データベースを備え、前記専用端末から入力された利用者情報を、前記ユーザ情報データベースに基づいて照会することを特徴とする請求項１３から請求項１７の何れか１項に記載の書籍データ閲覧方法。
【請求項１９】
前記店舗側装置は、前記利用者が閲覧した前記書籍データを格納するキャッシュサーバを備え、前記利用者から要求された前記書籍データが前記キャッシュサーバに存在する場合には、前記キャッシュサーバの前記書籍データを前記専用端末に提供し、存在しない場合に、前記配信会社側装置から取得することを特徴とする請求項１３から請求項１８の何れか１項に記載の書籍データ閲覧方法。
【請求項２０】
前記配信会社側装置は、前記利用者毎に、既に閲覧した書籍データの履歴を含む履歴一覧を生成し、前記店舗側装置が、前記利用者からの要求により前記利用者に対応する履歴一覧を取得して、前記専用端末に提供することを特徴とする請求項１３から請求項１９の何れか１項に記載の書籍データ閲覧方法。
【請求項２１】
前記出版社側装置又は配信会社側装置にて、前記書籍データの圧縮化と暗号化を行なうと共に、前記専用端末は、圧縮化と暗号化がなされた前記書籍データについて解凍と復号処理を行うことを特徴とする請求項１３から請求項２０の何れか１項に記載の書籍データ閲覧方法。
【請求項２２】
前記専用端末に、クレジットカードやプリペイドカードを利用して前記閲覧料金の決済を行なうことを特徴とする請求項１４から請求項２１の何れか１項に記載の書籍データ閲覧方法。
【請求項２３】
前記出版権料に、前記書籍データの一回の閲覧を認めるレンタルと閲覧回数に制限のない買取りの２種類の金額を設定し、前記専用端末から書籍データを選択する際に、前記書籍データのレンタルか買い取りかを指定することにより、前記書籍データを閲覧することを特徴とする請求項１４から請求項２２の何れか１項に記載の書籍データ閲覧方法。
【発明の詳細な説明】
【０００１】
【発明の属する技術分野】
本発明は、漫画等の書籍の書籍データ閲覧システム及びその方法に関し、特に、ネットワーク配信によって店舗形式で利用者に書籍の閲覧サービスを提供する書籍データ閲覧システム及び書籍データ閲覧方法に関する。
【０００２】
【従来の技術】
現在、漫画等の書籍を大量に蔵書し、それを利用者に貸し出すという、いわゆる漫画喫茶等の店舗が設置されている。これらの書籍の閲覧サービスを提供する店舗は、一般的に利用者が飲み物等を飲みながら漫画を読むためのスペースと漫画を蔵書する書棚スペースからなる形態を取り、店舗利用者は、店舗に揃えてある蔵書から閲覧したい対象を探し、通常の喫茶店などと同じような雰囲気で好みの漫画を選んで読むことができるようになっている。
【０００３】
これまでの漫画喫茶では、一般に、閲覧した漫画の冊数ではなく時間制による課金システムが採用されており、利用者は一定の限られた時間毎に利用料金を払う。
【０００４】
【発明が解決しようとする課題】
上述したこれまでの漫画喫茶等の書籍の閲覧サービスを提供する店舗においては、次に述べるような問題点があった。
【０００５】
第１に、漫画等の書籍の蔵書数が増えるにつれて書棚スペースの確保が必要になる。また、漫画を読む利用者が座るスペースと書棚のスペースを分離する必要があり、書棚スペースを増やした場合面積当りの売上高が低くなる。
【０００６】
第２に、蔵書数の増加に比例して、購読者が読みたい漫画を検索することが非常に困難になる。
【０００７】
第３に、陳列する漫画の種類と書棚スペースの関係上、同一タイトルの漫画は１冊程度しか購入して揃えない場合が多く、既に他の人が読んでいるタイトルの漫画は他の人が読むことができない。
【０００８】
第４に、読まれた漫画の冊数ではなく、時間による課金システムを採用しており、利用者が漫画を閲覧する際発生する出版権料の支払いが明確化されていない。
【０００９】
第５に、印刷物である以上、紙が破れたり痛んだ場合には、店舗が同じタイトルの漫画を再度購入して揃える必要がある。
【００１０】
第６に、漫画の盗難等が発生した場合、再度購入する必要があると共に、盗難防止の為に漫画一冊ごとにセキュリティチェックを行う必要がある。
【００１１】
第７に、店舗側の判断により揃える漫画のタイトルを決めているため、店舗側は常に新刊のタイトルをチェックしておく必要があると共に、利用者は店舗が購入しない限り読むことができない。
【００１２】
なお、例えば、特開２００２−２４５６７号公報等には、インターネット等のネットワーク経由で、ユーザの携帯端末に書籍データを配信するサービスが提案されているけれども、あくまで携帯端末を有する特定のユーザに対して書籍データを配信するシステムであり、従来の漫画喫茶等の店舗形態で利用者に書籍データを提供するサービスは提案されていない。
【００１３】
本発明の目的は、上記のような従来の課題を解決し、書籍の種類が増加しても店舗側のスペースを広げる必要がなく、かつ専用端末を店舗側の座席スペースに配置することで、店舗を有効的に活用し単位面積当りの売上を伸ばすことを可能にする書籍データ閲覧システム及び書籍データ閲覧方法を提供することにある。
【００１４】
本発明の他の目的は、店舗の利用者が読みたいタイトルを容易に検索することを可能にする書籍データ閲覧システム及び書籍データ閲覧方法を提供することにある。
【００１５】
本発明の他の目的は、店舗の利用者が書籍を読むために順番待ちをする必要がなく、かつ同じタイトルの書籍をいくつも揃える必要を無くする書籍データ閲覧システム及び書籍データ閲覧方法を提供することにある。
【００１６】
本発明のさらに他の目的は、出版権料の支払いが明確化され、利用者も出版権料を知ることができる書籍データ閲覧システム及び書籍データ閲覧方法を提供することにある。
【００１７】
本発明のさらに他の目的は、漫画喫茶等の店舗が書籍の盗難に対するセキュリティを気にしなくてもよく、かつ盗難により書籍を再購入する必要もなくなくする書籍データ閲覧システム及び書籍データ閲覧方法を提供することにある。
【００１８】
本発明のさらに他の目的は、店舗側が常に新刊のタイトルをチェックしておくことなく、利用者は何時でも新刊の書籍を読むことができる書籍データ閲覧システム及び書籍データ閲覧方法を提供することにある。
【００１９】
【課題を解決するための手段】
上記目的を達成する本発明は、店舗において書籍の電子データである書籍データの閲覧サービスを提供する書籍データ閲覧システムであって、出版社側装置から通信回線を介して送られる前記書籍データを配信会社側装置に格納し、前記配信会社側装置と前記通信回線で接続された前記店舗側装置が、前記店舗の利用者に貸与される専用端末から要求される前記書籍データを、前記配信会社側装置から取得し、前記専用端末に提供することを特徴とする。
【００２０】
請求項２の本発明の書籍データ閲覧システムでは、前記出版社側装置は、前記書籍データをその出版権料のデータと共に、前記配信会社側装置に送信し、前記配信会社側装置は、前記書籍データと前記出版権料のデータを対応させて格納すると共に、前記店舗側装置は、前記利用者が前記専用端末により閲覧した前記書籍データに関し、前記出版権料を含む閲覧料金を算出して請求し、かつ前記閲覧料金のうちの前記出版権料に相当する金額を前記出版社側装置に送金することを特徴とする。
【００２１】
請求項３の本発明の書籍データ閲覧システムでは、前記配信会社側装置は、前記書籍データを検索するための情報を含む書籍データ一覧を生成して格納し、前記店舗側装置は、前記専用端末の利用者の要求に応じて前記書籍データ一覧を前記配信会社側装置から取得して前記専用端末に転送し、前記書籍データ一覧から選択された前記書籍データを前記専用端末に前記配信会社側装置から取得して提供することを特徴とする。
【００２２】
請求項４の本発明の書籍データ閲覧システムでは、前記配信会社側装置は、前記書籍データ一覧に、前記出版権料データを含めて生成することを特徴とする。
【００２３】
請求項５の本発明の書籍データ閲覧システムでは、前記出版社側装置は、前記書籍データを生成する手段と、予め契約した前記配信会社側装置に対して前記書籍データを送信する手段を備え、前記配信会社側装置は、前記出版社側装置からの送られる前記書籍データを格納する手段と、前記書籍データを検索するための情報を含む書籍データ一覧を生成し格納する手段と、前記店舗側装置からの求めにより前記書籍データと前記書籍データ一覧を送信する手段を備え、前記店舗側装置は、前記配信会社側装置に接続し、前記利用者から要求された前記書籍一覧装置と前記書籍データを取得し、前記専用端末に提供する手段を備え、前記専用端末は、前記書籍データ一覧から所望の書籍データを検索し選択する手段と、前記店舗側装置から提供された前記書籍データを表示する手段を備えることを特徴とする。
【００２４】
請求項６の本発明の書籍データ閲覧システムでは、前記配信会社側端末は、前記利用者の情報を登録するユーザ情報データベースを備え、前記専用端末から入力された利用者情報を、前記ユーザ情報データベースに基づいて照会することを特徴とする。
【００２５】
請求項７の本発明の書籍データ閲覧システムでは、前記店舗側装置は、前記利用者が閲覧した前記書籍データを格納するキャッシュサーバを備え、前記利用者から要求された前記書籍データが前記キャッシュサーバに存在する場合には、前記キャッシュサーバの前記書籍データを前記専用端末に提供し、存在しない場合に、前記配信会社側装置から取得することを特徴とする。
【００２６】
請求項８の本発明の書籍データ閲覧システムでは、前記配信会社側装置は、前記利用者毎に、既に閲覧した書籍データの履歴を含む履歴一覧を生成し、前記店舗側装置が、前記利用者からの要求により前記利用者に対応する履歴一覧を取得して、前記専用端末に提供することを特徴とする。
【００２７】
請求項９の本発明の書籍データ閲覧システムでは、前記出版社側装置又は配信会社側装置にて、前記書籍データの圧縮化と暗号化を行なうと共に、前記専用端末は、圧縮化と暗号化がなされた前記書籍データについて解凍と復号処理を行うことを特徴とする。
【００２８】
請求項１０の本発明の書籍データ閲覧システムでは、前記専用端末に、クレジットカードやプリペイドカードを利用して前記閲覧料金の決済を行なう機能を設けたことを特徴とする。
【００２９】
請求項１１の本発明の書籍データ閲覧システムでは、前記出版権料に、前記書籍データの一回の閲覧を認めるレンタルと閲覧回数に制限のない買取りの２種類の金額を設定し、前記専用端末から書籍データを選択する際に、前記書籍データのレンタルか買い取りかを指定することにより、前記書籍データを閲覧することを特徴とする。
【００３０】
請求項１２の本発明の書籍データ閲覧システムでは、前記出版社側装置と前記配信会社側端末及び前記店舗側装置の少なくとも１つが、前記通信回線に複数接続されていることを特徴とする。
【００３１】
請求項１３の本発明は、店舗において書籍の電子データである書籍データの閲覧サービスを提供する書籍データ閲覧方法であって、出版社側装置から通信回線を介して送られる前記書籍データを配信会社側装置に格納し、前記配信会社側装置と前記通信回線で接続された前記店舗側装置が、前記店舗の利用者に貸与される専用端末から要求される前記書籍データを、前記配信会社側装置から取得し、前記専用端末に提供することを特徴とする。
【００３２】
請求項１４の本発明の書籍データ閲覧方法では、前記出版社側装置は、前記書籍データをその出版権料のデータと共に、前記配信会社側装置に送信し、前記配信会社側装置は、前記書籍データと前記出版権料のデータを対応させて格納すると共に、前記店舗側装置は、前記利用者が前記専用端末により閲覧した前記書籍データに関し、前記出版権料を含む閲覧料金を算出して請求し、かつ前記閲覧料金のうちの前記出版権料に相当する金額を前記出版社側装置に送金する。
【００３３】
請求項１５の本発明の書籍データ閲覧方法では、前記配信会社側装置は、前記書籍データを検索するための情報を含む書籍データ一覧を生成して格納し、前記店舗側装置は、前記専用端末の利用者の要求に応じて前記書籍データ一覧を前記配信会社側装置から取得して前記専用端末に転送し、前記書籍データ一覧から選択された前記書籍データを前記専用端末に前記配信会社側装置から取得して提供することを特徴とする。
【００３４】
請求項１６の本発明の書籍データ閲覧方法では、前記配信会社側装置は、前記書籍データ一覧に、前記出版権料データを含めて生成することを特徴とする。
【００３５】
請求項１７の本発明の書籍データ閲覧方法では、前記出版社側装置は、前記書籍データを生成し、かつ予め契約した前記配信会社側装置に対して前記書籍データを送信し、前記配信会社側装置は、前記出版社側装置からの送られる前記書籍データを格納し、前記書籍データを検索するための情報を含む書籍データ一覧を生成して格納し、前記店舗側装置からの求めにより前記書籍データと前記書籍データ一覧を送信し、前記店舗側装置は、前記配信会社側装置に接続し、前記利用者から要求された前記書籍一覧装置と前記書籍データを取得し、前記専用端末に提供し、前記専用端末は、前記書籍データ一覧から所望の書籍データを検索し選択すると共に、前記店舗側装置から提供された前記書籍データを表示することを特徴とする。
【００３６】
請求項１８の本発明の書籍データ閲覧方法では、前記配信会社側端末は、前記利用者の情報を登録するユーザ情報データベースを備え、前記専用端末から入力された利用者情報を、前記ユーザ情報データベースに基づいて照会することを特徴とする。
【００３７】
請求項１９の本発明の書籍データ閲覧方法では、前記店舗側装置は、前記利用者が閲覧した前記書籍データを格納するキャッシュサーバを備え、前記利用者から要求された前記書籍データが前記キャッシュサーバに存在する場合には、前記キャッシュサーバの前記書籍データを前記専用端末に提供し、存在しない場合に、前記配信会社側装置から取得することを特徴とする。
【００３８】
請求項２０の本発明の書籍データ閲覧方法では、前記配信会社側装置は、前記利用者毎に、既に閲覧した書籍データの履歴を含む履歴一覧を生成し、前記店舗側装置が、前記利用者からの要求により前記利用者に対応する履歴一覧を取得して、前記専用端末に提供することを特徴とする。
【００３９】
請求項２１の本発明の書籍データ閲覧方法では、前記出版社側装置又は配信会社側装置にて、前記書籍データの圧縮化と暗号化を行なうと共に、前記専用端末は、圧縮化と暗号化がなされた前記書籍データについて解凍と復号処理を行うことを特徴とする。
【００４０】
請求項２２の本発明の書籍データ閲覧方法では、前記専用端末に、クレジットカードやプリペイドカードを利用して前記閲覧料金の決済を行なうことを特徴とする。
【００４１】
請求項２３の本発明の書籍データ閲覧方法では、前記出版権料に、前記書籍データの一回の閲覧を認めるレンタルと閲覧回数に制限のない買取りの２種類の金額を設定し、前記専用端末から書籍データを選択する際に、前記書籍データのレンタルか買い取りかを指定することにより、前記書籍データを閲覧することを特徴とする。
【００４２】
本発明によれば、大勢の利用者に対して同じに書籍データを提供でき、常に最新の書籍を読むことが可能である。また、漫画喫茶等の店舗側に省スペースで大量の書籍データを提供することが可能である。また、店舗側にキャッシュサーバを設置することにより、アクセス数の多い人気のあるタイトルを高速にダウンロードすることができる。本システムはユーザが読んだ漫画の数で著作権料を発生させ、出版社に還元することが可能である。
【００４３】
【発明の実施の形態】
以下、本発明の好適な実施の形態について図面を参照して詳細に説明する。
【００４４】
（第１の実施の形態）
図１に、本発明の第１の実施の形態によるネットワーク配信による書籍データ閲覧システムの構成図を示す。本システムは、出版社の出版社側装置１００、漫画等の書籍の電子データ（以下、画データと称する）の配信会社の配信会社側装置１０２、漫画等の画データを提供する店舗である漫画喫茶等の店舗側装置１０３、これらを相互に接続するインターネット等の通信回線である通信ネットワーク１０１から構成されている。なお、上記出版社、配信会社及び店舗については、図示のように単一の場合に限らず複数の場合もある。以下に図１の各構成要素の詳細を述べる。
【００４５】
図２に出版社側装置１００の構成図を示す。出版社側装置１００は、画データ生成部２０１、画データ送信部２０２、画データ配信契約部２０３、出版権料回収部２０４、画データ記憶部２０５から構成されている。
【００４６】
画データ生成部２０１は、画データ記憶部２０５と接続される。画データ送信部２０２と画データ配信契約部２０３は、通信ネットワーク１０１を通じて画データの配信会社側装置１０２のｗｅｂサーバ３０１に接続されている。出版権料権回収部２０４は、通信ネットワーク１０１を通して漫画喫茶等の店舗側装置１０３と接続されている。
【００４７】
画データ生成部２０１は、作者が作成した原稿を読み取り、配信会社へ送信する画データを生成する機能を有し、画データの暗号化、圧縮する機能を有する。この画データ生成部２０１は漫画１冊分の画データと、その漫画の数ページ分に相当する画データ（以降、サムネイルデータとする）を生成し、画データ記憶部２０５に格納する。
【００４８】
画データ送信部２０２は、事前に使用契約済みの配信会社のファイルサーバ３０２に接続する機能、画データあるいはサムネイルデータを送信する機能、画データあるいはサムネイルデータの出版権に相当する金額のデータ（出版権料データ）を送信する機能を有する。
【００４９】
画データ配信契約部２０３は、画データの配信会社に対してファイルサーバ３０２の使用契約を結ぶ機能を有する。
【００５０】
出版権料回収部２０４は、通信ネットワーク１０１によって接続された漫画喫茶等の店舗側装置１０３から出版権料を回収する機能を有する。
【００５１】
図３に画データの配信会社側装置１０２の構成図を示す。配信会社側装置１０２は、通信ネットワーク１０１に接続するためのｗｅｂサーバ３０１、画データ配信用のファイルサーバ３０２、各店舗のユーザの情報をユーザ情報データベース３０４に登録するユーザ照会登録部３０３、画データ一覧を生成する画データ一覧生成部３０５、画データや出版権料の料金データ等を保存する画像情報記憶部３０６から構成されている。
【００５２】
ｗｅｂサーバ３０１は、ファイルサーバ３０２とユーザ照会登録部３０３と接続され、通信ネットワーク１０１を通じて出版社側装置１００と漫画喫茶等の店舗側装置１０３とも接続されている。
【００５３】
ファイルサーバ３０２は、画データ一覧生成部３０５と画像情報記憶部３０６に接続されている。ユーザ照会登録部３０３は、ユーザ情報データベース３０４に接続されている。
【００５４】
ｗｅｂサーバ３０１は、アクセス要求に対して、ユーザ情報の照会、画データの入出力依頼をそれぞれユーザ照会登録部３０３とファイルサーバ３０２へ依頼する機能を有する。
【００５５】
ファイルサーバ３０２は、アクセス要求に対して、正規に契約されている時のみアクセス権を与える機能、通信ネットワーク１０１を通じて出版社側装置１００の画データ送信部２０２から画データを引き取る機能、画像情報記憶部３０６から画データを検索し要求もとへ送信する機能、画データ一覧生成部３０５が生成した画データ一覧のデータを要求元のユーザへ送信する機能、送信要求のあったタイトル毎にアクセス数を計数し、アクセス数の多い順に並べたタイトルの一覧をアクセス一覧データとして画像情報記憶部３０６へ保存する機能を有する。アクセス一覧データには、アクセス数が上位のタイトルのみを含むようにしてもよい。
【００５６】
ユーザ照会登録部３０３は、店舗側装置１０３の専用端末４０２からのユーザ照会の問い合わせに対して、ユーザ情報データベース３０４を参照して照会を行なう。ユーザ照会登録部３０３は、受け付けたユーザＩＤ情報がユーザ情報データベース３０４に存在しない場合は、ユーザ情報データベース３０４に追加登録する。なお、このユーザＩＤ情報は、店舗がそのユーザ（店舗利用者）に対して提供する。
【００５７】
画データ一覧生成部３０５は、一定間隔でファイルサーバ３０２にアクセスし、新しい画データが存在した場合、画データ一覧を更新する機能を有する。画データ一覧は例えば出版社順、タイトルの五十音順等でソートされる。この画データ一覧には、例えば画データのタイトル等の画データを検索するための情報と、画データ毎の出版権料が含まれる。
【００５８】
図４に漫画喫茶等の店舗側装置１０３の構成図を示す。漫画喫茶等の店舗側装置１０３は、外部接続サーバ４０１、専用端末４０２、料金回収部４０３、キャッシュサーバ４０４、画データを保存する画データ記憶部４０５、それらを互いに接続する専用回線や無線ネットワークといったローカルネットワーク４０６から構成されている。
【００５９】
外部接続サーバ４０１は、ローカルネットワーク４０６に接続されると共に、通信ネットワーク１０１を通じて画データの配信会社側装置１０２のファイルサーバ３０２に接続されている。
【００６０】
専用端末４０２、料金回収部４０３、キャッシュサーバ４０４は、それぞれローカルネットワーク４０６を通じて相互に接続されている。画データを保存する画データ記憶部４０５は、キャッシュサーバ４０４に接続されている。
【００６１】
外部接続サーバ４０１は、外部の通信ネットワーク１０１と店舗側のローカルネットワーク４０６を制御することにより、画データについて配信会社側装置１０２からの接続のみを許可し、その他からのアクセスにより無断で画データを閲覧することを禁止する機能を有する。
【００６２】
また、外部接続サーバ４０１は、専用端末４０２からのユーザＩＤ情報を配信会社側装置１０２へ送信する機能、専用端末４０２へ画データ一覧のデータを送信する機能、専用端末４０２から要求のあった画データのタイトルを配信会社側装置１０２へ送信する機能、配信会社側装置１０２から送信された画データと版権料データを受け取り、それぞれ専用端末４０２と料金回収部４０３へ送信する機能、配信会社側装置１０２から送信されたアクセス一覧データを受け取り、キャッシュサーバ４０４へ送信する機能を有する。
【００６３】
料金回収部４０３は、外部接続サーバ４０１から送られた出版権料とユーザＩＤ情報により、利用料金（画データの閲覧料金）の合計を記録する機能を有する。
【００６４】
キャッシュサーバ４０４は、外部接続サーバ４０１から送信されたアクセス一覧データと、画データ記憶部４０５内を比較することにより、容量の許す限り配信会社側装置１０２へ画データの送信要求を出して画データ記憶部４０５へ保持する機能を有する。すなわち、アクセス一覧に記載されているタイトルの画データを、画データ記憶部４０５の容量が許す範囲でできるだけ多く画データ記憶部４０５に保持する。
【００６５】
料金回収部４０３は、外部接続サーバ４０１から得られた出版権料とその他の施設使用料等を加算して閲覧料金としてユーザに請求する機能、回収した出版権料を出版社側装置１００へ送金する機能を有する。
【００６６】
図５に専用端末４０２の構成図を示す。専用端末４０２は、表示部５０１、サーバアクセス部５０２、ユーザＩＤを読み取るユーザ情報読み取り部５０３、入力部５０４、画データ一覧検索・選択部５０５から構成されている。
【００６７】
表示部５０１は、サーバアクセス部５０２と接続され、サーバアクセス部５０２は、ローカルネットワーク４０６内の各構成部に接続される。ユーザ情報読み取り部５０３は、ローカルネットワーク４０６及び外部接続サーバ４０１を介して配信会社側装置１０２のユーザＩＤを登録したユーザ情報データベース３０４と接続される。入力部５０４は、画データ一覧検索・選択部５０５と接続される。画データ一覧検索・選択部５０５は、サーバアクセス部５０２と表示部５０１に接続される。
【００６８】
表示部５０１は、サーバアクセス部５０２から受け取った画データを表示する機能を有する。
【００６９】
サーバアクセス部５０２は、画データ一覧検索・選択部５０５からの要求を受けつけ、外部接続サーバ４０１に接続する機能を有する。
【００７０】
入力部５０４は、ユーザ（店舗利用者）からの入力を受け付けて画データ一覧検索・選択部５０５に転送する機能を有する。
【００７１】
画データ一覧検索・選択部５０５は、サーバアクセス部５０２から受け取った画データ一覧データを表示部５０１に転送し、入力部５０４から選択された結果を受け取り、画データの転送依頼をサーバアクセス部５０２に転送する機能を有する。
【００７２】
ユーザ情報読み取り部５０３は、ローカルネットワーク４０６上のユーザ情報データベース３０４にアクセスし、読み取ったユーザＩＤ情報の照会を依頼する機能を有する。
【００７３】
以下、上記のように構成される第１の実施の形態の動作について、図６のフローチャートを参照して説明する。
【００７４】
まず、出版社側装置１００の動作を説明する。
【００７５】
出版社側装置１００は、インターネットによる漫画等の画データ配信を始める際に、画データ配信契約部２０３によりネットワーク内に存在する画データの配信会社側装置１０２とファイルサーバ３０２の使用契約を結ぶ。
【００７６】
契約が成立した場合、出版社側装置１００はファイルサーバ３０２のアクセス権を取得する。
【００７７】
配信する漫画等の画データを生成する場合、画データ生成部２０１が新しい画データを生成し、必要に応じてサムネイルデータも生成し、画データ記憶部２０５に格納する（ステップ６０１）。
【００７８】
契約した配信会社側装置１０２のファイルサーバ３０２に画データを転送する場合、画データ送信部２０２は画データの出版権料データと、生成した画データを配信会社側装置１０２のファイルサーバ３０２に送信する（ステップ６０２）。
【００７９】
漫画喫茶等の店舗側装置１０３において、画データがユーザ（店舗利用者）によって購読された場合、出版権料回収部２０４は店舗側装置１０３から出版権料を回収する（ステップ６０３）。
【００８０】
次に、画データの配信会社側装置１０２の動作を説明する。
【００８１】
ｗｅｂサーバ３０１は、出版社側装置１００からの新規のファイルサーバ３０２の使用契約の要求や画データ送信要求あるいは、店舗側装置１０３からの画データ送信要求やユーザ登録要求あるいはユーザ照会要求かを判別して、それらの要求をファイルサーバ３０２、ユーザ照会登録部３０３に送る。
【００８２】
ファイルサーバ３０２は、出版社側装置１００の画データ転送部２０２からのアクセス要求を受け付け可能状態にする。出版社側装置１００から画データの送信要求が発生した場合（ステップ７０１）、画データと出版権料データを受信し画像情報記憶部３０６に保存する（ステップ７０２）。
【００８３】
店舗側装置１０３の専用端末４０２からのユーザＩＤの照会要求があった場合（ステップ７０３）、ユーザ情報データベース３０４を参照して照会を行なうと共に、ユーザ情報データベース３０４に存在しない場合は追加登録する（ステップ７０４）。ユーザ登録の際に、電子メールのアドレスを登録したユーザに対しては電子メールによるダイレクトメール等にて新刊情報等のサービスを提供する。
【００８４】
店舗側装置１０３からの画データ一覧の要求が発生した場合（ステップ７０５）、画像情報記憶部３０６に保存してある画データ一覧を要求元の店舗側装置１０３に転送し（ステップ７０６）、画データ送信要求が発生した場合（ステップ７０７）、指定の画データを要求元の店舗側装置１０３に転送する（ステップ７０８）。
【００８５】
画データ一覧生成部３０５は、一定間隔でファイルサーバ３０２にアクセスし、画像情報記憶部３０６に保存されている画データと画データ一覧を比較し、画データ一覧に載っていない新しい画データを見つけた場合、新しい画データとその出版権料から画データ一覧を更新して画像情報記憶部３０６に保存する。
【００８６】
次に、漫画喫茶等の店舗側装置１０３の動作について説明する。
【００８７】
ユーザ来店時にユーザＩＤの提示を求め、ユーザＩＤを持っていない場合にはユーザＩＤを提供する。次に、ユーザに専用端末４０２を貸し出す。
【００８８】
専用端末４０２からユーザＩＤの照会要求があると（ステップ８０１）、外部接続サーバ４０１が配信会社側装置１０２に対してユーザ照会要求を行う（ステップ８０２）。
【００８９】
ユーザが専用端末４０２から画データ一覧の要求を受信すると（ステップ８０３）、外部接続サーバ４０１はその要求を配信会社側装置１０２のｗｅｂサーバ３０１へ通知する（ステップ８０４）。
【００９０】
その後、外部接続サーバ４０１は、配信会社側装置１０２のｗｅｂサーバ３０１からの画データ一覧を受け取り、専用端末４０２に送信する（ステップ８０５）。
【００９１】
外部接続サーバ４０１が専用端末４０２から画データの転送依頼を受け取ると（ステップ８０６）、まず、キャッシュサーバ４０４に接続された画データ記憶部４０５に存在する画データを参照し、要求された画データが存在するかどうかを判別する（ステップ８０７）。
【００９２】
画データが存在する場合は、画データ記憶部４０５から画データを専用端末４０２に送信する（ステップ８０８）。存在しない場合は、配信会社側装置１０２へ所望の画データを要求し（ステップ８０９）、受信を待って専用端末４０２に送信する（ステップ８１０、８０８）。
【００９３】
ユーザが会計をする場合、料金回収部４０３がユーザのユーザＩＤを参照し、施設使用料等と閲覧した画データの出版権料とを合計した閲覧料金を算出し、その金額をユーザに提示して請求し（ステップ８１１）、閲覧料金を回収する。このユーザからの閲覧料金の回収は、例えばクレジットカードによるカード決済やプリペイド方式による決済等によって実現することができる。
【００９４】
出版社側装置１００の出版権料回収部２０４からの出版権料回収依頼が発生した場合は、要求された金額を出版社側装置１００に対して送金して支払う（ステップ８１２）。
【００９５】
次に、専用端末４０２の動作について説明する。
【００９６】
専用端末４０２は、まず、ユーザに対してユーザ情報読み取り部５０３がユーザＩＤの入力を促し、ユーザＩＤを入力することにより（ステップ９０１）、外部接続サーバ４０１に接続する。これにより、外部接続サーバ４０１が配信会社側装置１０２のユーザ情報データベース３０４に対してユーザ照会要求を行う（ステップ８０２）。
【００９７】
照会終了後、外部接続サーバ４０１を介してデータ配信会社側装置１０２のファイルサーバ３０２に対して画データ一覧の送信要求を行う（ステップ９０２）。その次に、画データ一覧検索・選択部５０５は、サーバアクセス部５０２から画データ一覧データを受信し、表示部５０１に転送して表示する（ステップ９０３）。
【００９８】
ユーザは、表示部５０１に表示された画データ一覧から入力部５０４によって所望の画データを選択する（ステップ９０４）。ユーザによる画データの選択は、ユーザが表示された画データから直接所定の画データを選択する場合、入力部５０４から入力されたタイトル等の検索情報に基づいて画データ一覧検索・選択部５０５が画データ一覧から検索する場合がある。
【００９９】
画データ一覧検索・選択部５０５は、ユーザによって選択された結果を受け取り、選択された画データの転送依頼をサーバアクセス部５０２を介して外部接続サーバ４０１に送る（ステップ９０５）。
【０１００】
転送依頼した画データは、上記のように外部接続サーバ４０１から転送されてサーバアクセス部５０２で受信される。そして、サーバアクセス部５０２は受信した画データを表示部５０１に転送し表示する（ステップ９０６）。
【０１０１】
同時に、料金回収部４０３に対して閲覧した画データの出版権料を通知する（ステップ９０７）。その際、随時ファイルサーバ３０２との接続を切断することができる。また、ユーザは、料金回収部４０３から提示された閲覧料金の支払いを行なう（ステップ９０８）。
【０１０２】
（第２の実施の形態）
次いで、本発明の第２の実施の形態について図面を参照して説明する。この第２の実施の形態においては、ユーザごとに専用の画データ一覧を作成する機能を備えることを特徴としている。
【０１０３】
配信会社側装置１０２のユーザ情報データベース３０４に、今まで閲覧した漫画等の画データの履歴データをユーザ毎に登録する。そして、配信会社は、画データ一覧と履歴データとを利用することにより、ユーザ毎に専用の画データ一覧を送信する。
【０１０４】
ユーザの情報をユーザ情報データベース３０４に新規に登録する際に、ユーザ毎にこれまで閲覧した画データの履歴データの領域を追加する。この履歴データとしては、画データのタイトル等が利用される。
【０１０５】
図７に、ユーザ情報データベース３０４の内容例を示す。ここでは、ユーザ毎に、ユーザ名１００１、ユーザＩＤ１００２、履歴データ１００３が格納されるようになっている。履歴データ１００３の欄には、当該ユーザがこれまでに閲覧した画データのタイトル等が記入される。
【０１０６】
ｗｅｂサーバ３０１は、店舗側装置１０３の専用端末４０２から画データ一覧の依頼を受けると、ファイルサーバ３０２とユーザ照会登録部３０３に対して、それぞれ画像一覧データと履歴データを要求する。ｗｅｂサーバ３０１はその２つのデータをマージしてユーザ毎の専用画データ一覧を専用端末４０２に送信する。また、ｗｅｂサーバ３０１は、専用端末４０２から画データの依頼を受けるとファイルサーバ３０２に対して画データを依頼すると同じに、ユーザ照会登録部３０３に対して画データのタイトル等を履歴データとして送信する。
【０１０７】
また、店舗側装置１０３のキャッシュサーバ４０４から画データを専用端末４０２に送信した場合には、キャッシュサーバ４０４から配信会社側装置１０２のｗｅｂサーバ３０１に対して履歴データを送信し、これにより、ｗｅｂサーバ３０１がユーザ照会登録部３０３に対して画データのタイトル等を履歴データとして送信する。
【０１０８】
ユーザ照会登録部３０３は、履歴データを受信すると、ユーザ情報データベース３０４の履歴データの欄に画データのタイトルを格納する。専用端末４０２側では特に何ら操作を行なう必要はない。
【０１０９】
（第３の実施の形態）
次いで、本発明の第３の実施の形態について図面を参照して説明する。この第３の実施の形態においては、出版社から圧縮化と暗号化（あるいは、圧縮化又は暗号化の一方）（以下、圧縮・暗号化と称する）が施されて送信されてきた画データを専用端末４０２で閲覧可能にする。
【０１１０】
本実施の形態における専用端末４０２には、図８に示すように、解凍・復号部１１０１を新たに備え、サーバアクセス部５０２と接続する。
【０１１１】
図２に示す出版社側装置１０２の画データ生成部２０１において、画データ作成時に圧縮・暗号化を行なうかどうかを選択する。生成された画データには、圧縮・暗号化されていることを識別することができるタグが設けられる。圧縮・暗号化された画データは、通常の圧縮・暗号化されていない画データと同様に画データ送信部２０２から配信会社側装置１０２へ送信する。
【０１１２】
圧縮・暗号化された画データが専用端末４０２で選択されると、専用端末４０２のサーバアクセス部５０２は、画データのタグを参照し、圧縮・暗号化されている場合は解凍・復号部１１０１へ送る。圧縮の解凍、暗号の復号処理が完了した場合、サーバアクセス部５０２へ戻し表示部５０１に画データを送る。
【０１１３】
なお、画データの圧縮・暗号化は、配信会社側装置１０２において行なうようにしてもよい。
【０１１４】
（第４の実施の形態）
次いで、本発明の第４の実施の形態について説明する。この第４の実施の形態においては、専用端末４０２の入力部５０４でクレジットカード等のカード番号を取得してカード決済することにより、店舗側での会計をキャッシュレスに行うことができるカード決済機能を追加した構成としている。
【０１１５】
図３で説明する。ユーザが専用端末４０２の使用を開始する際に、ユーザＩＤの確認を行う。その後表示部５０１にて、決済の方法をユーザに問い合わせ、電子決済を選択した場合、入力部５０４からユーザのカード番号を入力する。
【０１１６】
その後は、第１の実施の形態と同様に画像一覧の要求を行い、指定した画像タイトルの画データを表示部５０１に表示する。そして、図６のステップ９０８の閲覧料金の支払いは、上記入力したカード番号に基づくカード決済によって行なわれる。
【０１１７】
カード番号は、ユーザが閲覧終了時に専用端末４０２と外部接続サーバ４０１の接続を切断した時に専用端末４０２から消去する。このようにすれば、複数人のユーザが同じ専用端末４０２を使用する際に個人情報の漏洩を防ぐことができる。
【０１１８】
また、専用端末４０２にプリペイドカードを読み取って決済する機能を設けて閲覧料金の決済を行なうこともできる。
【０１１９】
（第５の実施の形態）
次いで、本発明の第５の実施の形態について説明する。この第５の実施の形態は、漫画等書籍の買取りを想定したシステムであり、第２の実施例で付加したユーザ情報データベース３０４を用いて、以前に購読した画データについては出版権料に相当する金額を支払うことなくを閲覧することができるシステムを提供できる。
【０１２０】
出版社側装置１００の画データ送信部２０２において、出版権料をレンタル用と買取り用の２種類を設定する。また、配信会社の画像情報記憶部３０６には、同一タイトルの画データにつき出版権料を一回の閲覧だけを認めるレンタル用と閲覧回数に制限の無い買取り用の２種類登録する。
【０１２１】
ユーザが画データのタイトルを選択する際に、買取りかレンタルかを指定させ、買取りを選んだ場合、配信会社側装置１０２のファイルサーバ３０２は買取り用の出版権料を送信する。
【０１２２】
次回以降、第２の実施例で作成したユーザ毎の専用画データ一覧から画データを選択した場合、その画データに対して買取りで出版権料を支払っている場合、料金回収部４０３に著作権料の通知を行わない。このようにすることで、店舗側装置１０３で電子書籍の買取りとレンタルの両方の機能を実現することができる。
【０１２３】
（第６の実施の形態）
次いで、本発明の第６の実施の形態について説明する。この第６の実施の形態は、複数の出版社と複数の配信会社が互いに契約を結ぶ場合を想定している。
【０１２４】
図９に第６の実施の形態によるネットワーク配信による画データ閲覧システムの構成を示す。それぞれ異なる出版社の出版社側装置１００ａと出版社側装置１００ｎは、それぞれ互いに異なる配信会社の配信会社側装置１０２ａや配信会社側装置１０２ｍと接続されている。また、配信会社照会装置１２０１が通信ネットワーク１０１上に接続され、出版会社側装置１００ａ、１００ｎの画データ配信契約部２０３と店舗側装置１０３の外部接続サーバ４０１と接続されている。
【０１２５】
以下、第６の実施の形態の動作を説明する。
【０１２６】
出版社側装置１００ａと配信会社側装置１０２ａの契約について説明する。この契約に関する内容は出版社側装置１００ｎや配信会社側装置１０２ｍでも同様である。
【０１２７】
出版社側装置１００ａの画データ配信契約部２０３は、配信会社と契約する場合、複数の配信会社と契約することができる。そして、契約完了時に、配信会社照会装置１２０１へ契約したすべての配信会社のネットワークＩＤ（ＩＰアドレス等）を送信する。その後、画データ送信部２０２が契約した配信会社に対して画データを送信する。
【０１２８】
店舗側装置１０３の外部接続サーバ４０１は、専用端末４０２からの画データ一覧の依頼があった場合、まず、配信会社照会装置１２０１に接続し、各出版会社が登録している配信会社の一覧を入手する。専用端末４０２は配信会社一覧を受け取ると出版会社と配信会社を対応付けた一覧を表示部５０１に表示する。
【０１２９】
ユーザは、入力部５０４により配信会社を選択する。外部サーバ接続部４０１は専用端末４０２で選択された配信会社にアクセスし、通常どうり画データ一覧を要求する。ここで、外部接続サーバ４０１が配信会社側装置のサーバダウンを検知すると、ユーザに接続不可を通知する。この場合、ユーザは、他の配信会社を再度選択する。
【０１３０】
なお、店舗側装置１０３が複数の店舗毎に複数接続されている形態も同様に可能である。
【０１３１】
以上好ましい実施の形態をあげて本発明を説明したが、本発明は必ずしも上記実施の形態に限定されるものではなく、その技術的思想の範囲内において様々に変形して実施することができる。
【０１３２】
【発明の効果】
以上説明したように本発明によれば、以下に述べるような効果が達成される。
【０１３３】
本発明によれば、書籍データを配信会社側装置に格納するようにしたので、書籍の種類が増加しても店舗側にスペースを広げる必要がなく、また、専用端末を店舗側に配置することで、店舗を有効的に活用し単位面積当りの売上を伸ばすことが可能となる。
【０１３４】
本発明によれば、利用者は書籍データ画データ一覧から閲覧したい書籍データをキーワード等で検索できるので、書籍が増加しても読みたいタイトルの書籍を容易に検索することが可能となる。
【０１３５】
また、本発明によれば、店舗の利用者が書籍を読むために順番待ちをする必要がなく、かつ同じタイトルの書籍をいくつも揃える必要を無くすることでできる。
【０１３６】
また、本発明によれば、利用者が閲覧した書籍に対して出版権料を含む閲覧料を支払うことで、出版権料の支払いが明確化され、利用者も出版権料を知ることができる。
【０１３７】
また、さらに本発明によれば、書籍データを配信会社側装置に格納するので、店舗が書籍の盗難に対するセキュリティを気にしなくてもよく、かつ盗難により書籍を再購入する必要もなくなる。
【０１３８】
また、さらに本発明によれば、店舗側が常に新刊のタイトルをチェックしておくことなく、利用者は何時でも新刊の書籍を読むことができるようになる。
【０１３９】
さらに、店舗側装置にキャッシュサーバを設置することにより、閲覧頻度の高い書籍を高速に閲覧することが可能となる。
【図面の簡単な説明】
【図１】本発明の第１の実施の形態による書籍データ閲覧システムの全体構成を示すブロック図である。
【図２】本発明の第１の実施の形態による書籍データ閲覧システムの出版社側装置の構成を示すブロック図である。
【図３】本発明の第１の実施の形態による書籍データ閲覧システムの配信会社側装置の構成を示すブロック図である。
【図４】本発明の第１の実施の形態による書籍データ閲覧システムの店舗側装置の構成を示すブロック図である。
【図５】本発明の第１の実施の形態による書籍データ閲覧システムの店舗側装置に設けられる専用端末の構成を示すブロック図である。
【図６】本発明の第１の実施の形態による書籍データ閲覧システムの動作を説明するフローチャートである。
【図７】本発明の第２の実施の形態による書籍データ閲覧システムにおけるユーザ情報データベースの内容例を示す図である。
【図８】本発明の第２の実施の形態による書籍データ閲覧システムの専用端末の構成を示すブロック図である。
【図９】本発明の第６の実施の形態による書籍データ閲覧システムの全体構成を示すブロック図である。
【符号の説明】
１００　出版社側装置
１０１　通信ネットワーク
１０２　配信会社側装置
１０３　店舗側装置
２０１　画データ生成部
２０２　画データ送信部
２０３　画データ配信契約部
２０４　出版権料回収部
２０５　画データ記憶部
３０１　ｗｅｂサーバ
３０２　ファイルサーバ
３０３　ユーザ照会登録部
３０４　ユーザ情報データベース
３０５　画データ一覧生成部
３０６　画像情報記憶部
４０１　外部接続サーバ
４０２　専用端末
４０３　料金回収部
４０４　キャッシュサーバ
４０５　画データ記憶部
５０１　表示部
５０２　サーバアクセス部
５０３　ユーザ情報読み取り部
５０４　入力部
５０５　画データ一覧検索・選択部
１００３　履歴データ
１１０１　解凍・復号部
１２０１　配信会社照会装置
【図１】
2004013513.tif 000003
【図２】
2004013513.tif 000004
【図３】
2004013513.tif 000005
【図４】
2004013513.tif 000006
【図５】
2004013513.tif 000007
【図６】
2004013513.tif 000008
【図７】
2004013513.tif 000009
【図８】
2004013513.tif 000010
【図９】
2004013513.tif 000011